(57)【要約】【課題】プラズマディスプレイパネルを流れる駆動電流に起因する電磁妨害波を低減することができるプラズマディスプレイ装置を提供すること。【解決手段】プラズマディスプレイモジュールを内包し、前記プラズマディスプレイパネルの観察者側に配置された導電性フィルタ部と、前記導電性フィルタ部と電気的に接続された導電筐体部と、からなるシールド筐体を備え、前記導電性フィルタ部は、前記電極の方向と同じ方向の帯状の部分であり他の導電部分よりも良導電性を持つ良導電部を有する構成とする。【選択図】図１
2009223002.tif 000002
【特許請求の範囲】
【請求項１】
複数の互いに平行な電極を持つプラズマディスプレイパネルと、前記電極に電圧を印加する回路基板と、前記プラズマディスプレイパネルを保持し、前記回路基板のグラウンドが接続され、前記電極の方向と平行な端辺は前記導電筐体部と電気的に接続され、前記電極の方向と垂直な端辺は、前記導電筐体部と絶縁されるシャーシ導体とを有するプラズマディスプレイモジュールと、
前記プラズマディスプレイモジュールを内包し、前記プラズマディスプレイパネルの観察者側に配置された導電性フィルタ部と、前記導電性フィルタ部と電気的に接続された導電筐体部と、からなるシールド筐体とを備え、
前記導電性フィルタ部は、
前記電極の方向と同じ方向の帯状の部分であり他の導電部分よりも良導電性を持つ良導電部を有する、プラズマディスプレイ装置。
【請求項２】
前記電極は、走査および放電維持のための電極である、請求項１記載のプラズマディスプレイ装置。
【請求項３】
前記良導電部は、前記導電性フィルタ部の略中央部に位置している、請求項１記載のプラズマディスプレイ装置。
【請求項４】
前記良導電部は、透明状の導体からなる、請求項１記載のプラズマディスプレイ装置。
【請求項５】
前記導電性フィルタ部は、前記導電筐体部と導電接触部材で接続され、前記良導電部と前記導電筐体部との接触部分には前記良導電部以外の前記導電性フィルタ部との接触部分よりも抵抗値の低い導電接触部材が用いられている、請求項１記載のプラズマディスプレイ装置。
【発明の詳細な説明】
【技術分野】
【０００１】
本発明は、大画面で薄型のディスプレイ装置として知られているプラズマディスプレイ装置に関するものである。
【背景技術】
【０００２】
プラズマディスプレイ（Ｐｌａｓｍａ  ｄｉｓｐｌａｙ）装置やＣＲＴディスプレイ（Ｃａｔｈｏｄｅ−Ｒａｙ  Ｔｕｂｅ  ｄｉｓｐｌａｙ）装置などの自発光型ディスプレイ装置は、視野角の依存性が無く自然な映像が得られることから広く使用されている。特にプラズマディスプレイ装置は、薄型であり、かつ大画面を構成するのに最適であることから、急速に普及が進んでいる。
【０００３】
プラズマディスプレイ装置は、主としてプラズマディスプレイパネルを有するプラズマディスプレイモジュール部とそのモジュールを囲むシールド筐体によって構成されている。
【０００４】
このプラズマディスプレイパネルは、ガス放電により発生した紫外線によって各放電セルに設けられた蛍光体を励起して可視光を発生させて表示光とするディスプレイであり、複数の電極（表示電極対およびアドレス電極）が格子状に配列され、各電極の交差部となる放電セルを選択的に発光させることにより画像を形成する。この原理により、電極には駆動のための大きな電流が流れるため、プラズマディスプレイモジュールからはこの電流によって電磁界が発生する。
【０００５】
発生する電磁界をシールドするためのシールド筐体は、例えば、導電性のフィルタの貼り付けられた前面ガラスと、背面側の導電性バックカバーとを、導電性の部材で接続して、プラズマディスプレイモジュールを囲む構成をとり、発生する電磁界を電磁気的に遮蔽している。
【０００６】
しかし、近年の高画質化に伴う駆動電力の増加等により、従来のシールド筐体の構成では確実に電磁界を低減することが困難になってきており、特に数十ＭＨｚ以下の低周波領域においては、従来のシールド筐体ではこれらの電磁界を十分に低減することはできず、ノイズとして外部に放射してしまうという課題があった。
【０００７】
このような課題に対し、プラズマディスプレイ装置の一端側に設けられた駆動用基板と他端に設けられた駆動用基板の間を接続している接地戻り導体板に、隣接導体筒を設け、この隣接導体筒に発生する渦電流により接地戻り導体板のインダクタンス分を打ち消すようにしたものが提案されている（例えば、特許文献１参照）。
【０００８】
また、プラズマディスプレイ装置の前面ガラスの周縁部を押え金具と共に挟持することにより保持する前面キャビネット部分において、電磁シールドを２重にすることによりシールド性能を高めたプラズマディスプレイ装置も提案されている（例えば、特許文献２参照）。
【０００９】
また、駆動源と負荷回路との間の閉じた電流経路が少なくとも２つのループ形状経路を形成するようにし、各ループ形状回路で生じる磁界を互いに打ち消しあうプラズマディスプレイ装置も提案されている（例えば、特許文献３参照）。
【００１０】
また、プラズマディスプレイパネルを保持するシャーシ導体をバックカバーに接続して駆動回路基板を囲んでシールドする構成としたプラズマディスプレイ装置も提案されている（例えば、特許文献４参照）。
【特許文献１】特開２００１−８３９０９号公報
【特許文献２】特開２００２−３７２９１７号公報
【特許文献３】特開２００５−２２１７９７号公報
【特許文献４】特開平１０−２８２８９６号公報
【発明の開示】
【発明が解決しようとする課題】
【００１１】
しかしながら、特許文献１に記載のプラズマディスプレイ装置においては、パネルと接地戻り導体板の内側に低減効果が期待できる大きさの隣接導体筒を挿入すると流れる電流のループ面積全体が拡大して低減しようとする電磁界そのものも増加して低減効果が薄れるという課題がある。
【００１２】
また、特許文献２のプラズマディスプレイ装置においては、前面キャビネットは装置全体の側面部分のみに位置し、２重シールドの効果がこの部分に限られ、シールド効果の改善はあるものの駆動電流に起因する電磁界の低減効果という観点では十分ではないという課題がある。
【００１３】
また、特許文献３のプラズマディスプレイ装置においては、駆動電流の経路自体が延長されるため、駆動信号波形等の調整が必要になるとともに、２つのループ形状で生じる電磁界を完全に打ち消すように構成するのが難しく、十分な低減効果が得ることが困難であるという課題がある。
【００１４】
また、特許文献４のプラズマディスプレイ装置においては、駆動回路基板自体はシールド効果が増すものの、プラズマディスプレイパネルとシャーシ導体間に流れる電流により発生する電磁界は十分に低減することはできないという課題がある。
【００１５】
本発明は上記課題に鑑みてなされたものであり、プラズマディスプレイパネルを流れる駆動電流に起因する電磁妨害波を低減することができるプラズマディスプレイ装置を提供することを目的とする。
【課題を解決するための手段】
【００１６】
上記目的は以下のプラズマディスプレイ装置により達成できる。当該課題を達成するためのプラズマディスプレイ装置は、複数の互いに平行な電極を持つプラズマディスプレイパネルと、前記電極に電圧を印加する回路基板と、前記プラズマディスプレイパネルを保持し、前記回路基板のグラウンドが接続され、前記電極の方向と平行な端辺は前記導電筐体部と電気的に接続され、前記電極の方向と垂直な端辺は、前記導電筐体部と絶縁されるシャーシ導体とを有するプラズマディスプレイモジュールを備えている。さらに、前記プラズマディスプレイモジュールを内包し、前記プラズマディスプレイパネルの観察者側に配置された導電性フィルタ部と、前記導電性フィルタ部と電気的に接続された導電筐体部と、からなるシールド筐体とを備えている。さらに、前記導電性フィルタ部は、前記電極の方向と同じ方向の帯状の部分であり他の導電部分よりも良導電性を持つ良導電部を有する、プラズマディスプレイ装置である。
【発明の効果】
【００１７】
本発明によるプラズマディスプレイ装置によれば、プラズマディスプレイパネルを流れる駆動電流に起因する電磁妨害波を効率的に低減することができるプラズマディスプレイ装置を提供することができる。
【発明を実施するための最良の形態】
【００１８】
以下、プラズマディスプレイ装置等の実施の形態について図面を参照して説明する。なお、実施の形態において同様の動作を行う構成要素に同じ符号を付し、再度の説明を省略する場合がある。
【００１９】
（実施の形態１）
図１から図４は、実施の形態１に係るプラズマディスプレイ装置を示しており、図１（ａ）はこの発明の実施の形態１に係るプラズマディスプレイ装置の構成を説明するための正面図であり、図１（ｂ）は図１（ａ）の線分ａ−ａにおける横断面概略図であり、実施の形態としての不要電磁波輻射に深く関連する構造物のみを示している。図２は実施の形態１に係るプラズマディスプレイ装置におけるプラズマディスプレイモジュールの構成を説明するための斜視図、図３（ａ）は実施の形態１に係るプラズマディスプレイ装置におけるプラズマディスプレイパネルの電極構造を説明するための斜視図、図３（ｂ）はその断面図、図４は実施の形態１のプラズマディスプレイ装置における導電性前面フィルタの構造を説明するための斜視図である。
【００２０】
以下、説明の便宜のために、プラズマディスプレイ装置１の表示面の法線方向をｘ軸、プラズマディスプレイ装置１の表示面の長手方向をｙ軸、ｘ軸およびｙ軸に直交する方向をｚ軸と呼ぶ場合がある。
【００２１】
図１および図２において、本発明の実施の形態１に係るプラズマディスプレイ装置１におけるプラズマディスプレイモジュール２は、長手方向に平行な走査・維持電極１４および短手方向に平行なアドレス電極１５を有するプラズマディスプレイパネル１０の非表示面側に、プラズマディスプレイパネル１０の保持板であるシャーシ導体１１が熱伝導シート（図示せず）を介して配置されている。
【００２２】
走査・維持電極用駆動回路基板１２ａ、アドレス電極用駆動回路基板１２ｂ、中継回路基板１２ｃ、放電制御回路基板１２ｄは、シャーシ導体１１の背面側に配置されている。走査・維持電極１４では、走査・維持電極用駆動回路基板１２ａから発生した駆動信号は、フレキシブルケーブル１３ａによってプラズマディスプレイパネル１０の走査・維持電極１４に伝えられ、アドレス電極１５では、放電制御回路基板１２ｄで発生した高周波信号が、フレキシブルケーブル１３ｄによって中継回路基板１２ｃに伝えられ、フレキシブルケーブル１３ｃによってアドレス電極用駆動回路基板１２ｂに伝えられ、アドレス電極用駆動回路基板１２ｂで駆動信号が発生して、フレキシブルケーブル１３ｂによってプラズマディスプレイパネル１０のアドレス電極１５に伝えられる構成となっている。
【００２３】
プラズマディスプレイモジュール２の外側には、バックカバー１６、ガラス押さえ金具１７、前面ガラス１８、前面キャビネット１９、導電性前面フィルタ２０、導電性ガスケット２１によってシールド筐体が構成される。
【００２４】
プラズマディスプレイパネル１０は、図３に示すように、前面ガラス板１０１と背面ガラス板１０２とが貼り合わされる構造となっており、前面ガラス板１０１には誘電体層１０３が形成されて走査電極１４ａと維持電極１４ｂとからなる走査・維持電極１４が誘電体層１０３に保護される形で多数形成される。背面ガラス板１０２にも誘電体層１０３が形成されており、アドレス電極１５が保護される形で多数形成される。
【００２５】
走査・維持電極１４とアドレス電極１５との交差位置で、走査・維持電極１４とアドレス電極１５とに挟まれた部分が放電セル１０４であり、ヘリウム（Ｈｅ）、ネオン（Ｎｅ）、キセノン（Ｘｅ）等の希ガスを含む放電ガスが封入されている。放電セル１０４は、隔壁１０５で区画されて形成され、各放電セル内は、赤、青、緑の蛍光体１０６ａ〜１０６ｃが塗り分けられている。
【００２６】
シャーシ導体１１は、熱伝導率および電気伝導率の高いアルミニウム、銅等の金属板で構成され、一方の面（前面）には熱伝導シートを介してプラズマディスプレイパネル１０が取り付けられ、他方の面（背面）には、各駆動回路基板等がシャーシ導体１１と平行になるように取り付けられて各基板のグラウンドと接続されている。このため、シャーシ導体１１はプラズマディスプレイパネル１０や各駆動回路基板等を保持し、これらの強度を保つ強度部材として機能するだけでなく、各駆動回路基板等の電気的なグラウンドとしても機能する。例えば、走査・維持電極用駆動回路基板１２ａのシグナルグラウンドはＡ点で、アドレス電極用駆動回路基板１２ｂのシグナルグラウンドはＢ点で、中継回路基板１２ｃのシグナルグラウンドはＣ点で、放電制御回路基板１２ｄのシグナルグラウンドはＤ点で、それぞれフレームグラウンドであるシャーシ導体１１に接地されている。
【００２７】
導電性前面フィルタ２０は、図４に示すように、ポリエステルフィルムなどからなるベース層２０１、ベース層２０１上に銅などの金属メッシュまたはスパッタ形成された導電層２０２、導電層２０２の周縁部に形成された金属端部２０３、透明な絶縁樹脂で導電層２０２上に形成された保護膜２０４、からなる。金属端部２０３は保護膜２０４で覆われていないので、電気的な接続箇所として機能する。
【００２８】
なお、導電層２０２としては、金属メッシュとして銅メッシュ、スパッタとして銀スパッタなどが用いられる。なお、金属メッシュの方が抵抗率が低いため、高いシールド効果が得られる。
【００２９】
良導電部２０５は、導電層２０２の略中央部に帯状に形成されている。良導電部２０５は導電層２０２の他の部分に比べて高い導電率を有している。例えば透明なＩＴＯなどを導電層２０２に重ねることで良導電部２０５を形成することができる。
【００３０】
前面ガラス１８は、プラズマディスプレイパネル１０の前面側に配置され、その裏面（表示面と反対側）に導電性前面フィルタ２０が貼り付けられている。
【００３１】
ガラス押さえ金具１７は、前面キャビネット１９との間で前面ガラス１８を挟むことで固定するとともに、前面ガラス１８に貼り付けられた導電性前面フィルタ２０の金属端部２０３と導電性の接触部材である導電性ガスケット２１を介して電気的に接触するように配置される。さらには導電性ガスケット２１を介してバックカバー１６とも接触している。
【００３２】
なお、導電性のガスケットとは例えばスポンジのような弾性材料の表面に金属繊維を貼り付けた構成である。ここでは導電性の接触部材として導電性のガスケットを用いたが、これに限られない。すなわち導電性を有し、２つの部材間の電気的接触の安定性を確保するものであればよい。例えば、導電性のバネ部をガラス押さえ金具１７に形成してもよい。このようにすれば、低コスト化が可能である。
【００３３】
バックカバー１６は、導電性の金属板をプレス成形することにより形成され、プラズマディスプレイパネル１０の背面と各駆動回路基板等を覆うようにガラス押さえ金具１７に固定されており、プラズマディスプレイパネル１０、各駆動回路基板等から放射される電磁波を遮蔽する役割を担っている。バックカバー１６は、ガスケット２１、ガラス押さえ金具１７とともに導電筐体部を形成している。
【００３４】
ここで、本実施の形態に係るプラズマディスプレイ装置１において、駆動電流による電磁妨害波の不要輻射が低減される原理および動作について、プラズマディスプレイパネルの動作原理に基づいて説明する。
【００３５】
まず、プラズマディスプレイパネル１０の画像表示原理について説明する。最初に、走査電極１４ａの全ラインに電圧を印加して全部の放電セルで放電を起こす初期化放電を行う。次に、走査電極１４ａに順次電圧を印加するとともに、電圧が印加された走査電極上で発光させたい放電セルと交わるアドレス電極１５にも電圧を印加する。これをアドレス放電といい、電圧が印加された走査電極１４ａとアドレス電極１５とが交わる位置の放電セルが発光し、該放電セルが発光セルとして選択される。その後、走査電極１４ａと維持電極１４ｂとの間に交流電圧を印加する維持放電を行う。維持放電により、先程選択された発光セルのみが発光し、プラズマディスプレイパネルは画像を表示する。
【００３６】
次に、駆動電流による電磁妨害波の不要輻射が低減される原理および動作について図５を参照しながら説明する。図５はパネル駆動電流による電磁妨害波の不要輻射が低減される原理を示す図である。
【００３７】
一般にループ状の電流３０が流れるとき、フレミングの右手の法則によりこのループを形成する平面に対して垂直方向に強い磁界３１が発生する。このループ電流３０を包含するような位置にリング状の導体３２が置かれた場合、電磁誘導効果によりこの導体に逆起電力が生じ、もとのループ電流３０とは逆方向の電流３３が誘導される。このリング状の導体３２をショートリングと呼ぶ。この誘導された電流３３による発生磁界３４はもとのループ電流による発生磁界３１と逆方向に発生するため、もとの発生磁界３１をキャンセルする効果を持つ。
【００３８】
図１の構成では、走査・維持電極用駆動回路基板１２ａから駆動される駆動電流は、フレキシブルケーブル１３ａ、プラズマディスプレイパネル１０の走査・維持電極１４およびシャーシ導体１１を流れてループ状の駆動電流が生成される。
【００３９】
さらに、ループ状の駆動電流はフレミングの右手の法則により垂直方向（図１ではｚ方向に平行な方向）に磁界を発生させる。
【００４０】
ここで、良導電部２０５、ガスケット２１、ガラス押さえ金具１７およびバックカバー１６によって形成されるループはプラズマディスプレイモジュール２における維持放電時の駆動電流のループと略平行となっているため、上述した原理に従って磁界を打ち消すように駆動電流とは逆方向のループ電流が良導電部２０５、ガスケット２１、ガラス押さえ金具１７およびバックカバー１６からなるループ上に励起される。
【００４１】
これにより、特に大きな電流が流れる維持放電時に形成される維持放電時の駆動電流のループが作る交流磁界に対して、シールド筐体がショートリングの役割を果たすことでキャンセル効果が得られ、結果として大きなノイズ低減効果を得ることができる。
【００４２】
なお、本実施の形態においては良導電部２０５を略中央部に形成したが、これに限られない。例えば上下いずれかに偏った位置や、複数形成することも可能である。図５に示す原理によりパネル駆動電流による不要輻射磁界は、パネルの中央部がもっとも強くなる。よって中央部に良導電部２０５を配置することで、ショートリングによる不要磁界キャンセル効果が最大化される。
【００４３】
次に、実施の形態１の変形例について、図６を参照しながら説明する。図６はガスケット２１の接続を説明するための斜視図である。
【００４４】
本変形例においては、ガスケット２１の略中央部分に他の部分より抵抗値の低い部分である良導電ガスケット部２２が用いられている。良導電ガスケット部２２は導電性前面フィルタ２０の良導電部２０５の形成される位置に対応して設けられている。
【００４５】
このように構成すれば、形成されるショートリング全体がさらに低抵抗で形成できるようになり、不要磁界のキャンセル効果をさらに高めることが可能である。
【００４６】
良導電ガスケット部２２は、例えば、他の部分よりも抵抗値の低い材料で形成したり、銅テープなどの導電性テープを上から貼り付けたりすることで形成できる。
【００４７】
なお、本実施の形態または変形例においては、維持放電時の駆動電流ループをキャンセルするように良導電部２０５を表示面長手方向に形成する構成としたが、これに限られない。例えば、アドレス放電時には表示面短手方向（例えば図１のｚ−ｘ平面）に流れる電流ループが形成されるので、良導電部２０５をこれに合わせて構成することでアドレス放電時に伴う電磁妨害波を低減することも可能である。
【００４８】
上記の実施の形態において用いた具体的な数値等は、単に一例を挙げたに過ぎず、表示デバイスの特性や画像表示装置の仕様等に合わせて、適宜最適な値に設定することが可能である。
【００４９】
上述の実施の形態は本発明の一例である。本発明は、以上の実施の形態に限定されることなく、種々の変更が可能であり、それらも本発明の範囲内に包含されるものであることは言うまでもない。
【産業上の利用可能性】
【００５０】
以上のように、本発明にかかるプラズマディスプレイ装置は、プラズマディスプレイパネルを流れる電流により発生する電磁妨害波を効果的に低減可能なプラズマディスプレイ装置等として有用である。
【図面の簡単な説明】
【００５１】
【図１】（ａ）本発明に係るプラズマディスプレイ装置の構成を説明するための正面概略図、（ｂ）図１（ａ）の線分ａ−ａにおける横断面概略図
【図２】プラズマディスプレイモジュールの構成を説明するための斜視図
【図３】（ａ）実施の形態１に係るプラズマディスプレイ装置におけるプラズマディスプレイパネルの電極構造を説明するための斜視図、（ｂ）実施の形態１に係るプラズマディスプレイ装置におけるプラズマディスプレイパネルの電極構造を説明するための断面図
【図４】本発明に係る導電性前面フィルタの構造を説明するための斜視図
【図５】パネル駆動電流による電磁妨害波の不要輻射が低減される原理を示す説明図
【図６】本発明の実施の形態１に係るプラズマディスプレイ装置の変形例におけるガスケットの接続を説明するための斜視図
【符号の説明】
【００５２】
１  プラズマディスプレイ装置
２  プラズマディスプレイモジュール
１０  プラズマディスプレイパネル
１１  シャーシ導体
１２ａ  走査・維持電極用駆動回路基板
１２ｂ  アドレス電極用駆動回路基板
１２ｃ  中継回路基板
１２ｄ  放電制御回路基板
１３ａ、１３ｂ、１３ｃ、１３ｄ  フレキシブルケーブル
１４  走査・維持電極
１５  アドレス電極
１６  バックカバー
１７  ガラス押さえ金具
１８  前面ガラス
１９  前面キャビネット
２０  導電性前面フィルタ
２１  導電性ガスケット
２２  良導電ガスケット部
３０  ループ電流
３１  ループ電流による発生磁界
３２  リング状導体
３３  誘起電流
３４  誘起電流による発生磁界
１０１  前面ガラス板
１０２  背面ガラス板
１０３  誘電体層
１０４  放電セル
１０５  隔壁
１０６ａ、１０６ｂ、１０６ｃ  蛍光体
２０１  ベース層
２０２  導電層
２０３  金属端部
２０４  保護膜
２０５  良導電部
【図５】
2009223002.tif 000003
【図１】
2009223002.tif 000004
【図２】
2009223002.tif 000005
【図３】
2009223002.tif 000006
【図４】
2009223002.tif 000007
【図６】
2009223002.tif 000008